(57)【特許請求の範囲】
【請求項１】
プッシュ・プル式ハンドルが、建具としての扉の自由端部の壁面に固定された上方台座にその上端部が軸枢された短杆状リンクと、この短杆状リンクの下端部に前記壁面に対して接離可能な関節部が連結され、一方、該関節部とは反対側の軸支された端部が前記上方台座に対して所定間隔を有して前記壁面に固定された下方台座に連結された長杆状リンクとから成り、前記プッシュ・プル式ハンドルの内、プッシュ側のハンドルの長杆状リンクの下部であって前記反対側の軸支された端部よりも上方の下部寄りの部位にその基端部が軸支されていると共に、前記下方台座側の固定支軸を介して回転可能に軸支され、かつその先端部が前記扉の自由端部に内設された第１箱体内の第１駆動体と係合する第１作動片が直接連結されており、前記反対側の軸支された端部に力が働くとき、前記第１作動片は前記長杆状リンクを介して回転して前記第１駆動体が所定方向に移動する扉用のハンドル装置。
【請求項２】
請求項１に於いて、第１箱体内の第１駆動体は、扉の開動助勢機構を構成する部材であることを特徴とする扉用のハンドル装置。
【請求項３】
請求項１に於いて、短杆状リンクの中間部には、第２作動片が連係手段を介して連結され、該第２作動片の先端部は上方台座側の扉の自由端部に内設された第２箱体内の第２駆動体と係合し、この第２駆動体はラッチ錠のラッチ規制片に係合することを特徴とする扉用のハンドル装置。
【請求項４】
プッシュ・プル式ハンドルが、建具としての扉の自由端部の壁面に固定された上方台座にその上端部が軸枢された短杆状リンクと、この短杆状リンクの下端部に前記壁面に対して接離可能な関節部が連結され、一方、該関節部とは反対側の軸支された端部が前記上方台座に対して所定間隔を有して前記壁面に固定された下方台座に連結された長杆状リンクとから成り、前記プッシュ・プル式ハンドルの内、プッシュ側のハンドルの長杆状リンクの下部であって前記反対側の軸支された端部よりも上方の下部寄りの部位に動力変換アームを介してその基端部が接続していると共に前記下方台座側の固定支軸を介して回転可能に軸支され、かつその先端部が前記扉の自由端部に内設された第１箱体内の第１駆動体と係合する第１作動片が連結されており、前記反対側の軸支された端部に力が働くとき、前記第１作動片は前記長杆状リンク及び前記動力変換アームを介して回転して前記第１駆動体が所定方向に移動する扉用のハンドル装置。
【発明の詳細な説明】
【技術分野】
【０００１】
本発明は扉用のハンドル装置に関し、特に、建具としての扉の壁面に配設されるプッシュ・プル式のハンドルに適合するトグル機構の扉用のハンドル装置に関する。
【背景技術】
【０００２】
特許文献１のハンドル装置は、扉１の開放端側に設けられるラッチ錠９と、扉内外の扉面に縦向き又は横向きにハンドルを取り付けるための座１２、１３と、この座のそれぞれに押し引き可能に保持されるハンドル１１ａ、１１と、ハンドルを押し引きの中間位置に保持するバネ１４、１４と、中間位置からのハンドルの押し操作並びに引き操作によって、縦向きハンドルが取り付けられたときには縦向きハンドル用の操作部材２７を作動させ、横向きハンドルが取り付けられたときには横向きハンドル用の操作部材２８を作動させて、ラッチ錠９のラッチ１６の後退を許容させる作動機構１５、１５を設けている（符号は特許文献１に記載のもの）。
【０００３】
この特許文献１のハンドル１１ａ、１１は、いわゆるプッシュ・プル式の操作部材であり、該操作部材の基端部には、錠箱内に突出する内外の作動片４５ａ、４５ｂが設けられている。これら内外の作動片４５ａ、４５ｂのいずれかが錠箱の上下方向（図３参照）又は左右方向（図１３参照）に移動すると、上下一対のラッチ規制部材（ロッキングピース）２２、２２がラッチ１６の規制を解く方向へ回転する。
【０００４】
一方、特許文献２には、操作部材が、例えば操作軸を有するレバーハンドルであって、前記操作軸の回転によりラッチボルト（棒状体）が後退した後に、該操作軸のさらなる回転操作によって、「抉じ開けラッチ８３」が扉枠側の反力部材（３９、１２１）に扉を抉じ開けるように圧接する事項（内外気圧差解消装置）が記載されている（符号は特許文献２に記載のもの）。
【０００５】
特許文献２に記載のような扉の開動助勢装置は、扉の自由端部に設けられた錠箱内に摺動或いは回動可能に設けられた駆動体に大きなモーメントを掛けないようにすることが要望されている。それは扉の開動助勢装置を構成する抉じ開け杆に戸枠側から反力が掛かるからである。また、内外のハンドル装置の工夫も要望されている。
【０００６】
ところで、特許文献３には「箱本体の前面開口を開閉する扉の側面にハンドルケース部を取り付け、該ハンドルケース部に、扉の側面に沿って起伏自在なハンドルと、ハンドルとリンクを介して連結されてハンドルの起伏操作により扉の側面に対して垂直方向の回動軸を中心として回動する鎖錠部とを取り付けるとともに、この鎖錠部が係止される係止部を箱本体の前面開口部の外側に設け、ハンドルの側面下方を把持して引き起こすことにより開錠されるものとした鎖錠用ハンドル装置」が記載されている。
【０００７】
しかしながら、この特許文献３は「電気機器収納箱の扉の開口部に取り付けられる鎖錠用ハンドル装置」に関するものであって、本願発明の如く「建具としての扉用のハンドル装置」ではない。
【０００８】
また特許文献３の構成は、例えば図１、図２、図３等から明らかなように、扉２の前面開口１１を塞ぐようにハンドルケース部３を組み込み、該レハンドルケース部３にその基端部を軸支したレバー状ハンドル３２の自由端部を前記ハンドルケース部３の外方向へ引くと、前記基端部に連結されたリンクプレート３４の先端部に設けられたフック状鎖錠部３１が、扉２内の係止部１３から外れる錠装置である（符号は特許文献３のもの）。
それ故に、特許文献３のハンドルは、扉の側面に沿って起伏自在としたレバー式のハンドルであり、建具としての扉用のプッシュ・プル式のハンドルではない。
【先行技術文献】
【特許文献】
【０００９】
【特許文献１】特開平１１−１４８２５９号公報
【特許文献２】特許第４２９５５９６号公報
【特許文献３】特許第４３６０７７６号公報
【発明の概要】
【発明が解決しようとする課題】
【００１０】
本願発明の所期の目的は、特に、建具としての扉の操作部材に倍力機構を応用し、小さな操作力であっても、プッシュ・プル式のハンドルを操作（プッシュ、プル）することができる扉用のハンドル装置を提案することである。第２の目的は、プッシュ量或いはプル量が少なくしても、トグル機構の動力を伝達する作動片の回転角を大きくすることができ、例えば建具としての扉の自由端部に内設した単数又は複数の箱体内の駆動体を所望する位置まで移動させることができることである。第３の目的は、一度のハンドル操作で扉に設けられた複数の箱体内にそれぞれ設けた駆動体を略同時に作動させるこができることである。付言すると、一度のハンドル操作で、該ハンドルに個別的に設けた上下の作動片で、ラッチ錠の仮施錠状態を解くと共に、扉の開動助勢装置を作動させることを目的とする。
【課題を解決するための手段】
【００１１】
本願発明の扉用のハンドル装置は、プッシュ・プル式ハンドルが、建具としての扉の自由端部の壁面に固定された上方台座にその上端部が軸枢された短杆状リンクと、この短杆状リンクの下端部に前記壁面に対して接離可能な関節部が連結され、一方、該関節部とは反対側の軸支された端部が前記上方台座に対して所定間隔を有して前記壁面に固定された下方台座に連結された長杆状リンクとから成り、前記プッシュ・プル式ハンドルの内、プッシュ側のハンドルの長杆状リンクの下部であって前記反対側の軸支された端部よりも上方の下部寄りの部位にその基端部が軸支されていると共に、前記下方台座側の固定支軸を介して回転可能に軸支され、かつその先端部が前記扉の自由端部に内設された第１箱体内の第１駆動体と係合する第１作動片が直接連結されており、前記反対側の軸支された端部に力が働くとき、前記第１作動片は前記長杆状リンクを介して回転して前記第１駆動体が所定方向に移動することを特徴とする。
【００１２】
また本願発明の扉用のハンドル装置は、プッシュ・プル式ハンドルが、建具としての扉の自由端部の壁面に固定された上方台座にその上端部が軸枢された短杆状リンクと、この短杆状リンクの下端部に前記壁面に対して接離可能な関節部が連結され、一方、該関節部とは反対側の軸支された端部が前記上方台座に対して所定間隔を有して前記壁面に固定された下方台座に連結された長杆状リンクとから成り、前記プッシュ・プル式ハンドルの内、プッシュ側のハンドルの長杆状リンクの下部であって前記反対側の軸支された端部よりも上方の下部寄りの部位に動力変換アームを介してその基端部が接続していると共に前記下方台座側の固定支軸を介して回転可能に軸支され、かつその先端部が前記扉の自由端部に内設された第１箱体内の第１駆動体と係合する第１作動片が連結されており、前記反対側の軸支された端部に力が働くとき、前記第１作動片は前記長杆状リンク及び前記動力変換アームを介して回転して前記第１駆動体が所定方向に移動することを特徴とする。
【発明の効果】
【００１３】
（ａ）倍力機構を応用し、小さな操作力であっても、プッシュ・プル式のハンドルを操作（プッシュ、プル）することができるトグル機構の扉用のハンドル装置を提案することができる。
（ｂ）また、プッシュ量、或いはプル量が少なくしても、ハンドルの動力を伝達する作動片の回転角を大きくすることができ、例えば建具としての扉の自由端部に内設した箱体内の駆動体を所望する位置まで移動させることができる。
（ｃ）実施形態によっては、一度のハンドル操作で建具としての扉に設けられた複数の箱体内にそれぞれ設けた駆動体を略同時に作動させるこができる。
【図面の簡単な説明】
【００１４】
図１乃至図１２は本発明の第１実施形態を示す各説明図、図１６乃至図２０は本発明の第２実施形態を示す各説明図、図２１は本発明の第３実施形態を示す説明図である。
【図１】本発明の使用態様の一例を示す説明図。
【図２】第１実施形態の一方のハンドル装置の説明図。
【図３】トグル機構の技術的原理を簡単に示した説明図。
【図４】（ａ）は初期状態、（ｂ）はプッシュした状態を示す概略説明図。
【図５】内側ハンドルの短杆状リンクの説明図。
【図６】内側ハンドルの長杆状リンクの説明図。
【図７】動力変換アームの説明図。
【図８】第１作動片の説明図。
【図９】扉の開動助勢装置（初期状態）の概略説明図。
【図１０】扉の開動助勢装置（中途状態）の概略説明図。
【図１１】扉の開動助勢装置（終期状態）の概略説明図。
【図１２】扉の開動助勢装置（終期状態）の平面視からの概略説明図。
【図１３】第２作動片の説明図。
【図１４】ラッチ（仮施錠状態）の説明図。
【図１５】ラッチ（解錠状態）の説明図。
【図１６】第２実施形態の他方（外側）扉用のハンドル装置の説明図。
【図１７】外側ハンドルの短杆状リンクの説明図。
【図１８】外側ハンドルの長杆状リンクの説明図。
【図１９】外側ハンドル用の第１作動片の説明図。
【図２０】外側ハンドル用の第２作動片の説明図。
【図２１】第３実施形態の主要部を示す概略説明図（初期状態）の説明図。
【発明を実施するための最良の形態】
【００１５】
以下、第１実施形態を詳細に説明する。図１は本発明の使用態様の説明図、図２は内側ハンドル装置の説明図、図３は技術的思想を簡単に示した概略説明図、図４も前記技術的原理を応用した本発明の一例を示す概略説明図である。これらの図に於いて、１は建具としての扉、１ａは扉の自由端部、１ｂは扉の内壁面、１ｃは扉の外壁面、１ｄは扉の基端部である。扉１は、周知のように、建物の開口部にその基端部１ｄが上下の丁番を介してして枢着され、水平方向に開閉する。
【００１６】
Ｈはプッシュ・プル式ハンドルで、実施形態ではプッシュ側のハンドルである。２は扉の自由端部１ａの内壁面１ｂに固定された上方台座、３はこの上方台座に図示しない支持板を介して横設された固定枢軸、４はこの固定枢軸３に軸支された短杆状リンク、５は短杆状リンク４と長杆状リンク８とを連結する関節部（実施形態では関節軸を含む）、６は上下方向に移動するスライダー部（実施形態では可動軸）、７はスライダー部６を案内する前記内壁面１ｂに固定された下方台座、８は前記関節部６を介して短杆状リンク４の下端部（関節部）にその上端部（関節部）が接続する長杆状リンク、１０は扉の自由端部１ａに内設された下方の第１箱体、１１はこの第１箱体内の第１駆動体、１２は基端部が動力変換部材１２を介して長杆状リンク８の下端部寄りの部位に連結され、その先端部が第１駆動体１１と係合する第１作動片である。そして、１６は前記短杆状リンク４の中央部の内側に基端部が連係手段１７を介して連結された第２作動片である。
【００１７】
詳しくは、ハンドル装置ＹのハンドルＨは、扉１の自由端部１ａの内壁面１ｂに固定された上方台座２に固定枢軸３を介してその上端部４ａが軸枢された短杆状リンク４と、この短杆状リンクの下端部４ｂに前記内壁面に対して接離可能な関節部５が連結され、一方、該関節部５とは反対側のスライダー部６が前記上方台座２に対して所定間隔を有して前記内壁面１ｂに固定された下方台座７に連結された長杆状リンク８とから成る。
【００１８】
しかして、実施形態では、前記長杆状リンク８の下部８ｂであって、前記スライダー部６よりも上方の部位（下端部寄りの部位の内側）には、先端部１２ａが前記扉１の自由端部１ａに内設された第１箱体１０内の第１駆動片１１と係合する第１作動片１２が直接又は間接的（実施形態）に連結されている。
【００１９】
ここで本発明の技術的原理を理解するために、図３を参照にして説明する。（ここでは便宜上、原理図を横にして説明する）。仮想線の１は扉、１ｂは扉の内壁面である。図面の仮想線内には第２箱体２０（左側）と第１箱体１０（右側）がそれぞれ描かれている。前記上方台座２と下方台座７との間はハンドルの長さを考慮して所定の間隔が設けられている。
【００２０】
また仮想線上には、後述する上方台座２と下方台座７が描かれている。プッシュ・プル式のハンドルＨは短杆状の第１リンク４と、この第１リンク４と関節部５を介して連結された長杆状の第２リンク８から成る。
【００２１】
前記第１リンク４の左側の一端部は関節に相当するので、左側の上方台座２に固定枢軸３を介して軸支されている。一方、第２リンク８の左側の一端部は第１リンクの右側の他端部に連結されていると共に、図面右側の他端部に相当する部位はスライダー部（可動軸）６となっている。このスライダー部６は下方台座７の表面上を移動可能である。
【００２２】
ハンドルＨの関節部５に対して、扉１の内壁面１ｂに対して直交する垂直からの力Ｐを作用させる（リンクを内側方向へプッシュする）と、第１リンク４は、固定枢軸３を支点に時計方向に回動し、一方、第２リンク８のスライダー部（可動軸）６は矢印Ｆ方向へ移動する。つまり、第２リンク８の関節部５とは反対側の軸支された端部に位置するスライダー部６にはＦ方向の力が作用する（換言すると、軸支された端部に力が作用する）。本実施形態では、図４の（ｂ）で示すように、プッシュのハンドルＨの長杆状リンク８の下部であって、前記スライダー部よりも上方の下部寄りの部位にその基端部が軸支されていると共に、下方台座７側の固定支軸１３を介して回転可能に軸支され、かつその先端部が前記扉の自由端部に内設された第１箱体１０内の第１駆動体１１と係合する第１作動片１２が直接連結されているが、前記スライダー部６の下方方向Ｆの力が働くとき、第１作動片１２は長杆状リンク８を介して回転して第１駆動体１１が所定方向に移動することにより、例えば箱体内の扉の開動助勢装置を作動させている。また、実施形態では、プッシュのハンドルＨの短杆状リンクの略中央部に連係手段４ｃ及び固定支軸１５を介して第２作動片１６が直接的に連結されているので、該第２作動片１６と前記第１作動片１２と同時に前記固定支軸１５を介して回転し、第２箱体２０内の第２駆動体２１を矢印方向に押し込む。
【００２３】
そこで、図４の（ａ）と（ｂ）を参照にして、本発明の作用を説明する。なお、作用の重複的な説明となるので、本発明の作用については図３の原理図の説明を援用する。  図４（ａ）はハンドルを操作する前の初期状態、一方、図４（ｂ）はハンドルを内壁面に向かってプッシュした状態を示す。図４（ｂ）で示すようにハンドルＨの握り部分Ｇを扉１の内壁面１ｂに向って矢印Ａ方向へ押圧すると、短杆状リンク４は、上方の固定枢軸３を支点に時計方向に回動し、一方、長杆状リンク８の下端部に設けられたスライダー部６は矢印Ｆ方向へ下方台座７に案内されて移動する。
【００２４】
そうすると、第１作動片１２の先端部は第１駆動体１１を押し下げ或いは押し上げると略同時に、後述の第２作動片１６の先端部は第２駆動体２１を押し下げ、或いは押し上げる。その結果、後述する第１箱体１０内に設けた扉の開動助勢装置Ｘを構成する第１駆動体１１は第１作動片１２によって動かされ、それと略同時に第２箱体２０に設けられた第２駆動体２１は第２作動片１６によって動かされる。なお、実施化レベルの実施形態を示す図２では、下方台座７に下方固定軸９を介して軸支された動力変換アーム２３を介して間接的に第１作動片１２にハンドルＨの操作力を伝えている。付言すると、プッシュ・プル式ハンドルの内、プッシュ側のハンドルＨの長杆状リンク８の下部であって、該第２リンク８の関節部５とは反対側の軸支された端部に位置する前記スライダー部よりも上方の下部寄りの部位に動力変換アーム２３を介してその基端部が接続していると共に前記下方台座側の固定支軸１３を介して回転可能に軸支され、かつその先端部が前記扉の自由端部に内設された第１箱体１０内の第１駆動体１１と係合する第１作動片１２が連結されており、前記スライダー部６の下方方向Ｆの力働くとき、第１作動片１２は長杆状リンク８及び動力変換アーム２３を介して回転して前記第１駆動体１１が所定方向に移動する。したがって、設計如何によって、各作動片１２、２１の方向が決まる。
【００２５】
ここで、図５以降の図面を参照にして内側ハンドル装置Ｙの各部材を説明する。図５は短杆状リンク４を示し、４ａは上端部、４ｂは下端部、５は関節軸、４ｃは中間部の内側に形成された第２作動片１６用連結突起部、４ｄはこの連結突起部４ｃよりも下方の部位の内側に形成され、かつ上方台座２に形成された規制用ガイド溝或いはガイト長孔と係合するガイド突起である。そして、前記下端部４ｂは長杆状リンク部材８の上端部に前記関節軸５を介して一体的に連結されている。
【００２６】
図６は長杆状リンク部材８を示し、８ａは下端部、８ｂは下端部寄りの部位、８ｃは上端部である。
しかして、６は前記下端部８ａの内側の突起部分に設けられたスライダー部（実施形態では可動軸）、８ｆは前記下端部寄りの部位の内側に形成された動力変換アーム２３用の連結突起部である。
長杆状リンク部材８の上端部は関節部に相当し、該関節部は前述したように関節軸５が設けられている。なお、関節部の関節軸５は、例えば可撓性接続部に置き換えることもできる。
【００２７】
図７は動力変換部材の一例としての短板状変換アーム２３で、図面上方の２３ａは長杆状リンク８の連結突起部８ｆと連結するためのガイド長孔、２３ｃは短板状変換アーム２３を下方台座７に取付けるために中央部に形成された軸孔、図面下方の２３ｄは第１作動片１２の基端部と連結するために設けられたガイド長孔である。
【００２８】
図８は短板状変換アーム２３の先端部に連結された第１作動片１２である。符号１２ａは動力変換アーム２３と連結するための連結孔、１２ｂは下方台座７に台座固定軸１３を介して取付けるために中央部軸孔、１２ｃは第１駆動体１１に係合する先端部（作用端部）である。
【００２９】
ここで、図９乃至図１２を参照にして、扉の開動助勢機構Ｘを説明する。図９は閉扉時の状態で、この時、垂直方向に移動可能な第１駆動体１１は、例えば第１箱体１０の底壁側に存在している。また、「マラカス」形態の短杆状抉じ開け部材３３も垂直状態となっている。
【００３０】
図１０は、内側ハンドルＨを操作し始めたとき、第１駆動体１１が上方へと始動した中途状態の概略説明図である。この時、横軸に軸支された式動力変換部材３５は回転し始める。図１１は扉の開動助勢装置（終期状態）の概略説明図、図１２は扉の開動助勢装置（終期状態）の平面視からの概略説明図である。
【００３１】
図１１で示すように、第１駆動体１１がさらに上方へと上昇すると、中央部が横軸３４で軸支され、かつ第１駆動体１１と共働するシーソ式動力変換部材３５の後端部分３５ａはさらに上方へと回転する。そうすると、シーソ式動力変換部材３５の先端部分３５ｂの係合突起３６が短杆状抉じ開け部材３３の規制長孔３３ｂと係合しているので、短杆状抉じ開け部材３３は下方へと押し下げられる。
【００３２】
この時、短杆状抉じ開け部材３３は第２横軸３７を介して時計方向へと回転し、その先端部３５ｂはフロント１０ａに形成した開口４０から飛び出て行く。そうすると、前記連係突片３３ａが扉枠３０側の反力部材３１に対して回転しながら傾斜状受け面３１ａに圧接し、該圧接力が扉１を開く方向に作用する反力と成る（図１２参照）。
なお、図１２に於いて、３０は戸枠、３１は傾斜状の受け面３１ａを有する反力部材、３２は反力部材を固定する固着具である。
【００３３】
図１３は第２作動片１６で、１６ａは第２駆動体２１に係合する先端部、１６ｂは短杆状リンク４の連結突起部と連結する他端部、１６ｃは他端部に設けられた短杆状リンクと連結する長孔、１６ｄは上方台座２に取付けるための中央部軸孔である。
【００３４】
最後に、図１４及び図１５を参照にしてラッチ錠Ｒの構成を説明する。図１４はラッチの仮施錠状態を示す説明図で、ラッチ錠Ｒは、第２箱体２０内に設けられた反転ラッチ２５をその先端部で規制する一組のラッチ規制片２２と、これらのラッチ規制片２２の一方の後方係合腕２２ａと係合するコ字形状の第２駆動片２１とを有する。
【００３５】
図１５は、ハンドルを操作すると、第２作動片１６の先端部１６ａが、例えば矢印で示す下方へ移動することから、第２駆動片２１の上壁の内面で押圧された一組のラッチ規制片２２を図示するように回転し、その結果、反転ラッチ２５が、ラッチ規制片２２から規制が解かれた解錠状態を示す。実施形態では、一度のハンドル操作で建具としての扉に設けられた複数の箱体１０、２０内にそれぞれ設けた駆動体１１、２１を略同時に作動させ、例えば扉の開動助勢装置とラッチ錠を作動させている。
【実施例】
【００３６】
次に、図１６乃至図２０は、本発明の第２実施形態の各説明図である。この第２実施形態の説明に当って、第１実施形態と同一の部分には同一又は同様の符号を付して重複する説明を割愛する。
【００３７】
これらの図に於いて、例えばＺはプル側の扉用のハンドル装置、Ｈ１はハンドル、Ｇは握り部分、２Ａは上方台座、３Ａは固定枢軸、４Ａは短杆状リンク、５Ａは関節部、６Ａはスライダー部、７Ａは下方台座、８Ａは長杆状リンク、１２Ａは第１作動片、１６Ａは第２作動片等である。
【００３８】
図１６で示すように、ハンドルＨ１も、プッシュ側のハンドルＨと同様に、上方台座２Ａに設けられている短杆状リンク４Ａと、この短杆状リンク４Ａに関節部５Ａを介して連結された長杆状リンク８Ａにから成る。
【００３９】
ここで、図１７乃至図２０を参照にして、プル側の扉用のハンドル装置Ｚの構成部材を説明する。図１７は短杆状リンク４Ａである。この図に於いて、４ａは上端部、４ｂは下端部、５は本実施例では関節軸、４ｃは中間部に形成された連結突起部、４ｄはガイド溝と係合するガイド突起である。
【００４０】
図１８は第２リンク部材８Ａで、８ａは下端部、８ｂは下端部寄りの部位、８ｃは上端部である。しかして、前記上端部８ｃは関節部に相当し、関節軸５Ａを有する。また前記下端部８ａにはスライダー部（可動軸）６Ａが設けられている。さらに、８ｆは第１作動片１２Ａと連結する連結突起部分である。
【００４１】
図１９は第１作動片１２Ａで、１２ａは連結突起部分８ｆと連結するための連結孔、１２ｂは下方台座７に取付けるための中央部軸孔、１２ｃは第１駆動体１１に係合する先端部（作用端部）である。
【００４２】
上記構成に於いて、プル方式のハンドル（外側ハンドル）１Ｈの長杆状リンク８Ａの上端部（上端部寄りの部位も含む）に相当する箇所（握り部分）Ｇ１を、扉１の外壁面１ｂから離れる矢印Ａ方向へ引くと、短杆状リンク４Ａは、上方の固定枢軸３Ａを支点に回動し、一方、長杆状リンク８Ａの下端部に設けられたスライダー部（可動軸）６Ａは矢印Ｆ１方向へ移動する。
【００４３】
そうすると、プッシュ側の扉用のハンドル装置の場合と同様に、第１作動片１２Ａの先端部は第１駆動体１１を押し下げ或いは押し上げると略同時に、後述の第２作動片１６Ａの先端部は第２駆動体１６を押し下げ、或いは押し上げる。なお、設計如何によって、各第１作動片１２Ａ、２１Ａの方向が決まる。
【００４４】
最後に、図２１は本発明の第３実施形態を示す説明図で、この第３実施形態は、プッシュ側の扉用のハンドル装置Ｙとプル側の扉用のハンドル装置Ｚを組み合わせたものである。プル側の扉用のハンドル装置Ｚは、プッシュ側の扉用のハンドル装置Ｙの逆の原理であるが、このように組み合わせても、本発明の目的を達成することができる。
【産業上の利用可能性】
【００４５】
本発明は錠前及び建具の分野で利用される。
【符号の説明】
【００４６】
Ｙ…プッシュ側の扉用のハンドル装置、Ｚ…プル側の扉用のハンドル装置、Ｈ．Ｈ１…ハンドル、Ｒ…ラッチ錠、Ｇ…握り部分、Ｘ…扉の開動助勢機構、１…扉、２．２Ａ…上方台座、３．３Ａ…固定枢軸、４．４Ａ…短杆状リンク、５．５Ａ…関節部、６．６Ａ…スライダー部、７．７Ａ…下方台座、８．８Ａ…長杆状リンク、１０…第１箱体、１１…第１駆動体、１２…第１作動片、１６．１６Ａ…第２作動片、２０…第２箱体、２１…第２駆動体、２２…ラッチ規制片、２３…動力変換アーム、３０…扉枠、３１…反力部材、３２…固着具、３３…短杆状抉じ開け部材、３４…横軸、３５…シーソ式動力変換部材、３６…係合突起、３７…第２横軸。
【図１】
0006035041.tif 000002
【図２】
0006035041.tif 000003
【図３】
0006035041.tif 000004
【図４】
0006035041.tif 000005
【図５】
0006035041.tif 000006
【図６】
0006035041.tif 000007
【図７】
0006035041.tif 000008
【図８】
0006035041.tif 000009
【図９】
0006035041.tif 000010
【図１０】
0006035041.tif 000011
【図１１】
0006035041.tif 000012
【図１２】
0006035041.tif 000013
【図１３】
0006035041.tif 000014
【図１４】
0006035041.tif 000015
【図１５】
0006035041.tif 000016
【図１６】
0006035041.tif 000017
【図１７】
0006035041.tif 000018
【図１８】
0006035041.tif 000019
【図１９】
0006035041.tif 000020
【図２０】
0006035041.tif 000021
【図２１】
0006035041.tif 000022